(57)【要約】【課題】コンクリートのレベル調整作業が容易なレベル調整具の提供。【解決手段】コンクリートのレベル調整具２は、本体４、ボルト６、ヘッド８及び回転棒１０を備えている。この本体４は、その上方に位置する基部１４と、基部１４から下方に延びている脚２０とを有している。この基部１４に上下方向を軸線とするネジ孔が形成されている。この脚２０にネジ孔の軸線周りに位置する係止孔２４が形成されている。このネジ孔とボルトの雄ネジにより、ボルト６は本体４に螺合されている。このヘッド８は、ボルト６の上端に位置している。この回転棒１０は、ボルト６からネジ孔の径方向外向きに延びている。この回転棒１０は屈曲して、回転棒１０が係止孔２４に係止され得るように構成されている。【選択図】図１
0003163738.tif 000002
【実用新案登録請求の範囲】
【請求項１】
本体、ボルト、ヘッド及び回転棒を備えており、
この本体が、その上方に位置する基部と、この基部から下方に延びている脚とを有しており、
この基部に上下方向を軸線とするネジ孔が形成されており、
この脚にネジ孔の軸線周りに位置する係止部が形成されており、
このネジ孔とボルトの雄ネジによりボルトが本体に螺合されており、
このヘッドがボルトの上端に位置しており、
この回転棒がボルトからネジ孔の径方向外向きに延びており、
この回転棒が屈曲して回転棒が係止部に係止され得るように構成されている、コンクリートのレベル調整具。
【請求項２】
底部を備えており、
この底部の形状が上下方向に平たいリング状であり、
この底部の周方向に複数の孔が互いに間隔をおいて形成されており、
上記脚の下端がこの底部に固定されている請求項１に記載の調整具。
【請求項３】
上記ヘッドが着色されている請求項１又は２に記載の調整具。
【請求項４】
上記回転棒の端部が着色されている請求項１から３のいずれかに記載の調整具。
【考案の詳細な説明】
【技術分野】
【０００１】
本考案は、コンクリートが打設されるときに、スラブ面のレベル調整に使用される、レベル調整具に関する。
【背景技術】
【０００２】
一般に、床面等にコンクリートが打設されるときに、スラブ面が所定の高さで平面になるように仕上げられる。このスラブ面の高さ及び平面のレベル調整に、レベル調整具が用いられる。
【０００３】
実公平７−２８３０９号公報の従来技術には、このレベル調整具の一例が記載されている。このレベル調整具が型枠に設置されて、スラブ面の位置が示される。このレベル調整具は、コンクリート打設前に型枠に設置される。レベル調整の際に、螺合されたボルト部材を回転させて、ボルト部材の上下位置を調整する。このボルト部材の上下位置を調整した後に、ロックナットでボルト部材の位置が固定される。これにより、スラブ面のレベル調整がされている。
【先行技術文献】
【特許文献】
【０００４】
【特許文献１】実公平７−２８３０９号公報
【考案の概要】
【考案が解決しようとする課題】
【０００５】
このレベル調整具では、ボルト部材の回転を固定するために、ロックナットを締め付ける必要がある。この作業は手間取る。特に、このレベル調整具を多数使用する場合には、その労力が大きい。また、目視だけでは、ボルト部材の上下位置が既に調整されているのか、更に、ロックナットによりボルト部材の上下位置が固定されているかの判別が困難である。
【０００６】
本考案の目的は、コンクリートのレベル調整作業が容易なレベル調整具の提供にある。
【課題を解決するための手段】
【０００７】
本考案に係るコンクリートのレベル調整具は、本体、ボルト、ヘッド及び回転棒を備えている。この本体は、その上方に位置する基部と、この基部から下方に延びている脚とを有している。この基部に上下方向を軸線とするネジ孔が形成されている。この脚にネジ孔の軸線周りに位置する係止部が形成されている。このネジ孔とボルトの雄ネジにより、ボルトは本体に螺合されている。このヘッドは、ボルトの上端に位置している。この回転棒は、ボルトからネジ孔の径方向外向きに延びている。この調整具は、この回転棒が屈曲して回転棒が係止部に係止され得るように構成されている。
【０００８】
好ましくは、この調整具は、底部を備えている。この底部の形状は、上下方向に平たいリング状である。この底部の周方向に複数の孔が互いに間隔をおいて形成されている。上記脚の下端は、この底部に固定されている。
【０００９】
好ましくは、この調整具のヘッドが着色されている。好ましくは、回転棒の端部が着色されている
【考案の効果】
【００１０】
本考案に係るレベル調整具では、コンクリートのレベル調整が容易にされ得る。このレベル調整具では、レベル調整が既にされたものか否かが容易に識別し得る。
【図面の簡単な説明】
【００１１】
【図１】図１は、本考案の一実施形態に係るコンクリートのレベル調整具が示された斜視図である。
【図２】図２は、図１のレベル調整具の平面図である。
【図３】図３は、図２のIII−III線で示された断面図である。
【図４】図４は、図１のレベル調整具の使用状態が示された断面図である。
【考案を実施するための形態】
【００１２】
以下、適宜図面が参照されつつ、好ましい実施形態に基づいて本考案が詳細に説明される。
【００１３】
図１及び図２に示されたレベル調整具２は、本体４、ボルト６、ヘッド８、回転棒１０及び底部１２を備えている。本体４は、ナット１６及びナットケース１８を含む基部１４と、脚２０とを有している。
【００１４】
図３の一点鎖線Ｌ１は、ネジ孔２２の軸線を示している。この軸線Ｌ１は上下方向に延びている。ナット１６には、上下方向に貫通するネジ孔２２が形成されている。このナット１６は、ナットケース１８に収納され固定されている。このナット１６は、ネジ孔２２の軸線Ｌ１を上下方向にされて固定されている。脚２０は、基部１４（ナットケース１８）に固定されている。脚２０は、基部１４から下方に延びている。このナットケース１８及び脚２０は、例えば鋼板からなる。
【００１５】
図２に示されるように、脚２０には、係止部としての係止孔２４が形成されている。複数の係止孔２４が、ネジ孔２２の軸線Ｌ１を中心とする円周方向に互いに間隔を隔てて形成されている。この脚２０は、釣鐘形状に、その上部中心に孔が形成され、径方向に複数の係止孔２４が形成された形状を備えている。このレベル調整具２では、等間隔に６つの係止孔２４が形成されている。この６つの係止孔２４は例示であり、係止孔２４の数はいくつであってもよい。
【００１６】
ボルト６の形状は、上下方向に延びる丸棒形状である。図３に示されるように、ボルト６の外周面に雄ネジ２６が形成されている。この雄ネジ２６とネジ孔２２とにより、ボルト６は、本体４（基部１４）に螺合している。このボルト６の軸線は軸線Ｌ１に一致している。
【００１７】
ヘッド８は、ボルト６の上端に固定されている。ヘッド８は、例えば合成樹脂からなる。このヘッド８の形状は、円板形状である。このヘッド８の上面は、上に凸の曲面である。ヘッド８の中心線は、軸線Ｌ１に一致している。ヘッド８の上面及び側面は、着色されている。このヘッド８には、蛍光塗料２８が塗布されている。このヘッド８は、蛍光を発する色に着色されている。
【００１８】
回転棒１０の形状は、長尺の棒形状である。回転棒１０は、例えば細い鋼線からなる。図３の一点鎖線Ｌ２は、回転棒１０の軸線を示している。回転棒１０は、ボルト６を貫通している。回転棒１０の中央部がボルト６に固定されている。回転棒１０は、ボルト６が基部１４にネジ込まれた状態で本体４の上方に位置している。回転棒１０は、ボルト６からネジ孔２２の径方向外向きに延びている。この回転棒１０は、ネジ孔２２の軸線Ｌ１に対して直交して延びている。この回転棒１０の端部３０は、着色されている。この端部３０には、蛍光塗料２９が塗布されている。この端部３０は、蛍光を発する色に着色されている。この蛍光塗料２９の色は、ヘッド８の蛍光塗料２８の色と異なっている。
【００１９】
底部１２は、円板の中心に貫通孔３２が形成された形状を備えている。底部１２の形状は、上下方向に平たいリング形状である。この底部１２は、例えば鋼板からなる。底部１２には、底部１２を貫通する複数の孔３４が形成されている。この孔３４は、円周方向に等間隔に並んで形成されている。この底部１２では、４つの孔３４が隣合う孔３４と９０°の角度を隔てて同一円周上に形成されている。この孔３４の数は、複数であればいくつであっても良く、４つ以上が好ましい。脚２０の下端が底部１２に固定されている。脚２０の下端が底部１２の内周縁（貫通孔３２側の縁）に固定されている。
【００２０】
図３に示されるレベル調整具２が床型枠に設置される。コンクリートが打設される床面積に応じて、設置位置が決められる。一般には、１０ｍ２ から２０ｍ２ に１箇所ずつ設置される。底部１２の孔３４に釘やビスが通されて、レベル調整具２が型枠に固定される。
【００２１】
一のレベル調整具２で、回転棒１０が回転させられる。ボルト６が本体４に対して回転させられる。このボルト６が回転することで、ヘッド８が上下に移動する。ヘッド８が所定のスラブ面を示す位置に移動する。
【００２２】
図４に示されるように、ヘッド８が所定の位置に移動すると、回転棒１０が折り曲げられる。端部３０が係止孔２４に押し込まれて、回転棒１０が係止孔２４に係止する。これにより、このレベル調整具２のヘッド８の上下位置が所定の位置に固定される。
【００２３】
この一のレベル調整具２のヘッド８の上下位置を基準にして、レベル測定機により他のレベル調整具２のヘッド８の上下位置が定められる。ヘッド８の上下位置が合わされた他のレベル調整具２の回転棒１０の端部３０が係止孔２４に係止させられる。この様にして、順番に他のレベル調整具２のヘッド８の上下位置が固定さられる。全てのレベル調整具２のヘッド８の上下位置が定められる。
【００２４】
コンクリートがポンプ車のホースなどから型枠に流し込まれる。このレベル調整具２は、コンクリートに埋設される。このヘッド８の位置が目印とされて、スラブ面が所定の高さで平面になるように仕上げられる。
【００２５】
このレベル調整具２の底部１２と型枠底面との間にスペーサーを介在させてもよい。これにより、打ち放し天井などでは、複数の小さな点状にスペーサが露出するようにし得る。この様にして、底部１２がコンクリートから露出しないようにし得る。
【００２６】
このレベル調整具２では、回転棒１０によりヘッド８の上下位置が変更されるので、ヘッド８の上下位置の調整が容易である。回転棒１０の端部３０が係止孔２４に係止すので、ヘッド８の上下位置の固定が容易である。回転棒１０が屈曲されることで、レベル調整具２がレベル調整済みか否かが容易に識別できる。ここでは、係止部として係止孔２４を例示したが、端部３０が係止できればよい。この係止部は、溝、凹部でもよい。
【００２７】
このレベル調整具２では、底部１２を備えるので型枠に安定した姿勢で固定できる。型枠底面に凹凸部がある場合にも、底部１２の底面を型枠の基準となる面に設置して、安定した姿勢で固定し得る。また、型枠底面の凹凸形状に応じて、複数の孔３４から適宜に釘等を通す孔３４を選択して固定できる。
【００２８】
底部１２が脚２０の下端に固定されているので、係止孔２４を大きくしても、脚２０の剛性が確保し易い。これにより、レベル調整具２に、作業者の接触や、コンクリートを流し込むホースの接触により、ヘッド８の上下位置が変動することが抑制され得る。一方で、係止孔２４を大きく開口し得るので、埋設の際に本体４の内部にコンクリートが充填され易い。
【００２９】
ヘッド８が着色されているので、ヘッド８と流し込まれたコンクリートの上面レベルとの上下位置関係が容易に識別できる。更に、ヘッド８に蛍光塗料２８が塗布されているので、夕方や夜間など、また暗い室内等でも、比較的に容易に、ヘッド８の上下位置が識別し得る。
【００３０】
回転棒１０の着色された端部３０が折り曲げられることで、レバル調整が完了しているか否かが容易に判別できる。このレベル調整具２では、広範囲のレベル調整具２のレベル調整が完了しているか否かが容易に判別し得る。また、端部３０に蛍光塗料２９が塗布されているので、暗い場所でも、レベル調整が完了しているか否かが容易に判別し得る。ヘッド８と端部３０との着色の色が異なっているので、更に容易に判別し得る。
【符号の説明】
【００３１】
２・・・レベル調整具
４・・・本体
６・・・ボルト
８・・・ヘッド
１０・・・回転棒
１２・・・底部
１４・・・基部
１６・・・ナット
１８・・・ナットケース
２０・・・脚
２２・・・ネジ孔
２４・・・係止孔
２６・・・雄ネジ
２８、２９・・・蛍光塗料
３０・・・端部
３２・・・貫通孔
３４・・・孔
【図１】
0003163738.tif 000003
【図２】
0003163738.tif 000004
【図３】
0003163738.tif 000005
【図４】
0003163738.tif 000006